(57)【要約】【課題】  本発明は、足へのフィット感を向上させる構成を備えた靴を提供することを目的とする。【解決手段】  本発明は、アッパー（20）の内羽根（30）及び外羽根（31）の内側に配置された包足帯（45）と、内羽根（30）及び外羽根（31）の内側且つ包足帯（45）の外側に配置された締付帯（42）とを備えた靴（1）であって、締付帯（42）は、両方の先端に靴紐（55）を通すガイド部（40,41）を備え、ワイヤ（50）が巻き取られると、ガイド部（40a）とダイヤルユニット（60）が互いに引き寄せられ、ガイド部（40,41）が互いに引き寄せられることで、包足帯（45）が、靴（1）内の足の土踏まずの足周囲を覆う、靴を提供する。【選択図】図１
2020130321.tif 000002
【特許請求の範囲】
【請求項１】
アッパー（20）の内羽根（30）及び外羽根（31）の内側に配置された包足帯（45）と、
前記内羽根（30）及び外羽根（31）の内側且つ前記包足帯（45）の外側に配置された締付帯（42）と
を備えた靴（1）であって、
前記包足帯（45）は、前記靴（1）の前後方向において、前記靴（1）を履いた足の土踏まずを覆うことができる程度の幅を有し、足周囲方向において、足裏全体を覆い且つ足の甲の少なくとも一部を覆うことができる程度の長さを有し、
前記締付帯（42）は、両方の先端に靴紐（50）を通すガイド部（40, 41）を備え、
前記靴紐（50）が引っ張られると、前記締付帯（42）の前記ガイド部（40,41）が互いに引き寄せられることで、前記包足帯（45）が、前記靴（1）内の足の土踏まずの足周囲を覆うように構成されている、前記靴。
【請求項２】
アッパー（20）に取り付けられたダイヤルユニット（60）であって、前記ダイヤルユニット（60）から出ているワイヤ（55）の長さを調整するための前記ダイヤルユニット（60）と、
前記アッパー（20）の内羽根（30）に固定され、前記ワイヤ（55）を通すガイド部（40a）と、
前記アッパー（20）の内羽根（30）及び外羽根（31）の内側に配置された包足帯（45）と、
前記内羽根（30）及び外羽根（31）の内側且つ前記包足帯（45）の外側に配置された締付帯（42）と
を備えた靴（100）であって、
前記包足帯（45）は、前記靴（100）の前後方向において、前記靴（100）を履いた足の土踏まずを覆うことができる程度の幅を有し、足周囲方向において、足裏全体を覆い且つ足の甲の少なくとも一部を覆うことができる程度の長さを有し、
前記締付帯（42）は、両方の先端に前記ワイヤ（55）を通すガイド部（40, 41）を備え、
前記ワイヤ（55）が前記ダイヤルユニット（60）に巻き取られると、前記内羽根（30）に固定されたガイド部（40a）と前記ダイヤルユニット（60）が互いに引き寄せられ、前記締付帯（42）の前記ガイド部（40,41）が互いに引き寄せられることで、前記包足帯（45）が、前記靴（100）内の足の土踏まずの足周囲を覆うように構成されている、前記靴。
【請求項３】
前記締付帯（42）を２つ以上備える請求項１又は２に記載の靴。
【請求項４】
前記靴は、タン（22）とインソール（24）をさらに備え、
前記締付帯（42）及び前記包足帯（45）は、前記靴内部の下側において、前記インソール（24）の下側に配置され、前記靴内部の上側において、前記タン（22）の上側に配置される、請求項１〜３のいずれか１項に記載の靴。
【請求項５】
ゴルフシューズである請求項１〜４のいずれか１項に記載の靴。
【発明の詳細な説明】
【技術分野】
【０００１】
本発明は、足を包みフィット感を向上させる構成を備えた靴に関する。
【背景技術】
【０００２】
特許文献１は、下面に多数のスパイクが突設されたアウターソールと該アウターソールの足裏側に配置される中敷であるインナーソールを有するゴルフ靴において、アウターソールとインナーソールとの間に使用者のかかと部分を地面から持ち上げる方向にくの字型に屈曲し、つま先側に位置する接地部とかかと側に位置する屈曲部からなる板状の可撓性部材であるスキルバーと、足の甲及び側部にあたる部分に所望の形状のスキルラバーを配置し、フィット感を向上させるゴルフ靴を開示する。
【先行技術文献】
【特許文献】
【０００３】
【特許文献１】特開２００６−３２５９０１号公報
【発明の概要】
【発明が解決しようとする課題】
【０００４】
特許文献１に記載のゴルフ靴は、フィット感を向上させるために足の甲の部位に位置するスキルラバーを用いるが、足の甲及び側部と靴との間のフィット感を向上することができるが、足裏と靴との間のフィット感の向上には十分ではない。また、足の甲の部位に位置するスキルラバーが足に対して下方へ力を及ぼすことになり、土踏まずのアーチを保ちにくい構成でもある。
【０００５】
そこで、本発明は、土踏まずのアーチを保ちつつ、足へのフィット感をさらに向上させる靴を提供することを目的とする。
【課題を解決するための手段】
【０００６】
本発明には、以下の実施形態が含まれる。
〔１〕
アッパー（20）の内羽根（30）及び外羽根（31）の内側に配置された包足帯（45）と、
前記内羽根（30）及び外羽根（31）の内側且つ前記包足帯（45）の外側に配置された締付帯（42）と
を備えた靴（1）であって、
前記包足帯（45）は、前記靴（1）の前後方向において、前記靴（1）を履いた足の土踏まずを覆うことができる程度の幅を有し、足周囲方向において、足裏全体を覆い且つ足の甲の少なくとも一部を覆うことができる程度の長さを有し、
前記締付帯（42）は、両方の先端に靴紐（50）を通すガイド部（40, 41）を備え、
前記靴紐（50）が引っ張られると、前記締付帯（42）の前記ガイド部（40,41）が互いに引き寄せられることで、前記包足帯（45）が、前記靴（1）内の足の土踏まずの足周囲を覆うように構成されている、前記靴。
〔２〕
アッパー（20）に取り付けられたダイヤルユニット（60）であって、前記ダイヤルユニット（60）から出ているワイヤ（55）の長さを調整するための前記ダイヤルユニット（60）と、
前記アッパー（20）の内羽根（30）に固定され、前記ワイヤ（55）を通すガイド部（40a）と、
前記アッパー（20）の内羽根（30）及び外羽根（31）の内側に配置された包足帯（45）と、
前記内羽根（30）及び外羽根（31）の内側且つ前記包足帯（45）の外側に配置された締付帯（42）と
を備えた靴（100）であって、
前記包足帯（45）は、前記靴（100）の前後方向において、前記靴（100）を履いた足の土踏まずを覆うことができる程度の幅を有し、足周囲方向において、足裏全体を覆い且つ足の甲の少なくとも一部を覆うことができる程度の長さを有し、
前記締付帯（42）は、両方の先端に前記ワイヤ（55）を通すガイド部（40, 41）を備え、
前記ワイヤ（55）が前記ダイヤルユニット（60）に巻き取られると、前記内羽根（30）に固定されたガイド部（40a）と前記ダイヤルユニット（60）が互いに引き寄せられ、前記締付帯（42）の前記ガイド部（40,41）が互いに引き寄せられることで、前記包足帯（45）が、前記靴（100）内の足の土踏まずの足周囲を覆うように構成されている、前記靴。
〔３〕
前記締付帯（42）を２つ以上備える上記〔１〕又は〔２〕に記載の靴。
〔４〕
前記靴は、タン（22）とインソール（24）をさらに備え、
前記締付帯（42）及び前記包足帯（45）は、前記靴内部の下側において、前記インソール（24）の下側に配置され、前記靴内部の上側において、前記タン（22）の上側に配置される、上記〔１〕〜〔３〕のいずれかに記載の靴。
〔５〕
ゴルフシューズである上記〔１〕〜〔４〕のいずれかに記載の靴。
【図面の簡単な説明】
【０００７】
【図１】第１実施形態に係る靴の平面図である。
【図２】第１実施形態に係る靴の外側の側面図である。
【図３】第１実施形態に係る靴の内側の側面図である。
【図４】第１実施形態に係る靴の断面図等である。
【図５】第２実施形態に係る靴の平面図である。
【図６】第２実施形態に係る靴の外側の側面図である。
【図７】第２実施形態に係る靴の内側の側面図である。
【図８】第２実施形態に係る靴の断面図等である。
【発明を実施するための形態】
【０００８】
以下、本発明の第１及び第２の実施形態に係る靴１、１００について、図面を用いて説明する。なお、「前方」は靴１のつま先側の方向を指し、「後方」はその反対方向（踵側）を指し、「前後方向」は靴１の長手方向を指し、「足周囲」は足の周囲方向を指す。また、「靴１の内側」というときは足の土踏まず側の方向を指し、「靴１の外側」というときはその反対方向（足の小指側）を指す。
【０００９】
〔第１実施形態〕
図１は、本発明の第１実施形態に係る靴１の平面図である。図２は、靴１の外側の側面図であり、図３は、靴１の内側の側面図である。図４の（ａ）は、図２のＡ−Ａ線断面図であり、（ｂ）は包足帯４５で包まれた足の概要図である。なお、本書面では、左足用の靴について説明するが、右足用の靴についても同様であり、説明は省略する。
【００１０】
靴１は、アウトソール１０、ミッドソール１５、及びアッパー２０を備え、靴１の内部にはタン２２やインソール２４を備える。靴１は、例えば、歩行用又はスポーツ用の靴であり、好ましくはゴルフシューズである。
【００１１】
アウトソール１０の底面（地面と接触する面）の形状は、適宜決めることができる。例えば、アウトソール１０の底面に、地面に対するグリップ性を向上させる凹凸構造を設けてもよい。
【００１２】
ミッドソール１５は、衝撃吸収用に、空気を含んだ部材や弾性樹脂などで構成された部分を有するようにしてもよいし、ミッドソール１５全体が衝撃吸収用の素材で形成されていてもよい。なお、靴１は、ミッドソール１５を設けず、アウトソール１０とアッパー２０とが直に接合した構成であってもよい。
【００１３】
アッパー２０の内側の羽根（内羽根）３０は、すなわち使用者の足の土踏まずから甲までの領域に相当する領域を覆っている。アッパー２０の外側の羽根（外羽根）３１は内羽根３０に対向するように設けられている。図１〜４では、内羽根３０が、足の（長手方向に沿う）中心線よりも外羽根３１側にせり出したような構成となっており、この構成は、土踏まずのサポートにとってより好ましい構成である。しかしながら、これに限定されず、通常の靴のように、内羽根３０及び外羽根３１と該中心線との間隔が互いに同程度である構成であってもよいし、逆に、外羽根３１が該中心線から内羽根３０側にせり出した構成であってもよい。なお、内羽根３０及び外羽根３１を合わせて羽根３０、３１と称する。
【００１４】
アッパー２０の羽根３０、３１は、前後方向に幅広構造をしており、羽根３０、３１の前方端はアッパー２０のトゥ部分に固定され、羽根３０、３１の後方端は自由端である。なお、羽根３０、３１のいずれか又は両方の前方端を自由端としてもよいし、内羽根３０を特許文献１に記載のようなベルト（３０）状に構成し、より土踏まずをサポートしやすい構成としてもよい。また、羽根３０、３１のいずれか又は両方の後方端の一部をタン２２に接合させて、足を靴１に出し入れする際に、タン２２が足に巻き込まれにくくするような構成としてもよい。
【００１５】
靴１の靴紐５０は、靴１の内部（アッパー２０の羽根３０，３１の内側）に設けられた複数の締付帯４２ａ、４２ｂ（総称して締付帯４２ともいう）の両端のガイド部４０ａ、４０ｂ、４1ａ、４１ｂ（総称してガイド部４０、４１ともいう）を通り、靴紐５０が結べるように構成されている。なお、締付帯４２の数は２つに限らず、１つ以上であればよく、好ましくは２つ以上である。また、複数の締付帯４２それぞれの前後方向の幅は、図示するように互いに異なるようにしてもよいし、同じであってもよい。
【００１６】
ガイド部４０ａは、羽根３０、３１の締め付け方向（足の周囲方向）において、ガイド部４１ａと対向する位置に配置されている。ガイド部４０ｂは、羽根３０、３１の締め付け方向において、ガイド部４１ｂと対向する位置に配置されている。なお、対向するというのは、厳密な意味で対向していることまでは必要なく、例えば、ガイド部４０ａとガイド部４０ｂが靴紐５０が結べて足を保持できるならば、少し前後方向に離れていてもよいし、ガイド部４０ａとガイド部４０ｂの前後方向の幅が互いに異なるものであってもよい。ガイド部４０ｂ、４１ｂについても同様である。
【００１７】
各ガイド部４０ａ〜４１ｂは、靴紐５０と係合しており、使用者が靴紐５０を結ぶために引っ張ると、ガイド部４０ａとガイド部４１ａとの間及びガイド部４０ｂとガイド部４１ｂとの間は縮まり、締付帯４２は足に締め付けられる。また、靴紐５０を緩めると、ガイド部４０ａとガイド部４１ａとの間及びガイド部４０ｂとガイド部４１ｂとの間が開き、締付帯４２も緩まる。
【００１８】
図４に示すように、靴１は、その内部に、足の土踏まず付近の足周囲を包み、足を包み込むように保持する包足帯４５を備える。包足帯４５の前後方向における幅は少なくとも足の土踏まず部分を覆うことができる程度の幅とするとよい。また、包足帯４５の足周囲方向における長さは、足裏全体を覆い且つ足の甲の少なくとも一部（全部又は一部）を覆うことができる程度の長さとするとよい。
【００１９】
靴１の内部（アッパー２０の羽根３０、３１の内側）において、包足帯４５を外側から覆うように、１つ又は複数の締付帯４２ａ、４２ｂが設けられている。なお、本実施形態では締付帯４２を２つとしているが、これに限定されない。なお、１本の締付帯４２を用いる場合は、締付帯４２の前後方向の幅を、包足帯４５と同程度にするとよい。
【００２０】
図４に示すように、締付帯４２ｂは、両先端に靴紐５０が通る前述のガイド部４０ｂ、４１ｂを有し、上方及び／又は側方において羽根３０、３１の内側に設けられた複数のガイド部３５、３６を通るように配置されている。ガイド部３５、３６の数は２つに限らず３つ以上であってもよい。
【００２１】
羽根３０、３１のガイド部３５、３６により、締付帯４２ｂの締め付けにともない羽根３０、３１が締め付ける方向に動かされ、足へのフィット感を向上させる。また、ガイド部３５、３６により、締付帯４２ｂは落ちてこず、靴１に足を入れた際にも締付帯４２ｂが足に引っかかったりしにくいようになっている。また、羽根３０、３１のガイド部３５、３６は、締付帯４２ｂを通すが、ガイド部４０ｂ、４１ｂが抜けないように構成される。さらに、締付帯４２ｂは、上方又は中程において包足帯４５に形成された開口４６を通り、下方において包足帯４５の底に縫い付けられている。なお、締付帯４２ａも締付帯４２ｂと同様であり、説明は省略する。
【００２２】
靴１のタン２２及びインソール２４は、締付帯４２ａ、４２ｂ及び包足帯４５の内側に配置される。靴１内部の下側において、締付帯４２ａ、４２ｂ及び包足帯４５をインソール２４の下側に配置することで、靴１に足を入れたときに、足が締付帯４２ａ、４２ｂ及び包足帯４５に引っかかりにくいようにすることができるとともに、靴１との一体感により足へのフィット感や履きごこちを向上させ、締付帯４２ａ、４２ｂを靴１の内部で安定させることができる。また、靴１内部の上側において、締付帯４２ａ、４２ｂ及び包足帯４５をタン２２の上側に配置することで、靴１に足を入れたときに、足が締付帯４２ａ、４２ｂ及び包足帯４５に引っかかりにくいようにすることができ、フィット感や履きごこちを向上させる。
【００２３】
靴１に足を入れ、タン２２とインソール２４との間に足が位置する状態で、靴紐５０を引っ張り締めると、ガイド部４０ａとガイド部４１ａ、及びガイド部４０ｂとガイド部４１ｂはそれぞれ、締め付け方向（足周囲方向）に互いに近づくように引っ張られ、それにともない締付帯４２ａ、４２ｂは、包足帯４５を締め付け、包足帯４５が足の土踏まず付近の足周囲（足裏全体から足の甲の一部にかけて）を覆う（包み込む）ように構成されている。なお、図４（ａ）では、理解しやすくするために、インソール２４が浮いているように描かれているが、足を靴１に入れると、インソール２４、包足帯４５、及び締付帯４２ａ、４２ｂは、重みでミッドソール１５上に位置することとなる。
【００２４】
従来の靴は、アッパーの外側に配された靴紐でアッパーの両羽根を互いに寄せて足の甲を覆うかたちで足を保持するものである。他方、本実施形態に係る靴１は、靴紐５０を引っ張ることで、締付帯４２ａのガイド部４０ａ、４１ａが互いに引き寄せられ、締付帯４２ｂのガイド部４０ｂ、４１ｂが互いに引き寄せられる。この結果、アッパー２０の両方の羽根３０、３１が互いに引き寄せられ、包足帯４５が、足の土踏まず付近の足周囲を覆う。足の土踏まず付近の足裏全体から足の甲（の一部又は全部）にかけて包足帯４５で包み込むように覆う構成により、従来の靴に比べて、足へのフィット感を向上させることができる。また、包足帯４５が足の土踏まず付近を包み込むよう構成されており、土踏まずのアーチを上方に持ち上げることができ、土踏まずのアーチを保ちやすくなる。  
【００２５】
〔第２実施形態〕
図１は、本発明の第２実施形態に係る靴１００の平面図である。図５は、靴１００の外側の側面図であり、図６は、靴１００の内側の側面図である。図７の（ａ）は、図８のＡ−Ａ線断面図であり、（ｂ）は包足帯４５の構成の概略斜視図である。なお、左足用の靴１００を用いて説明するが、右足用の靴についても同様であるため、説明は省略する。なお、第１実施形態と同様の構成については同じ符号を付し、適宜説明を省略する。
【００２６】
靴１００は、アウトソール１０、ミッドソール１５、及びアッパー２０を備え、靴１の内部にはインソール２４を備える。靴１００は、例えば、歩行用又はスポーツ用の靴であり、好ましくはゴルフシューズである。なお、靴１００は、ミッドソール１５を設けず、アウトソール１０とアッパー２０とが直接接続した構成であってもよい。
【００２７】
アッパー２０（の外羽根３１）には、ダイヤルユニット６０が固定されており、ダイヤルユニット６０は、ダイヤルユニット６０から外に出ているワイヤ５５の長さを調整するのに用いられる。ダイヤルユニット６０から出るワイヤ５５は、内羽根３０の最も後方に固定されたガイド部４０ａを通り、靴１００の内部（アッパー２０の羽根３０，３１の内側）に設けられた複数の締付帯４２（４２ｂ、４２ｃ）の両端のガイド部４０ｂ〜４1ｃを通り、ガイドユニット６０に戻るよう構成されている。
【００２８】
ガイド部４０ｂは、羽根３０、３１の締め付け方向（足の周囲方向）において、ガイド部４１ｂと対向する位置に配置されている。ガイド部４０ｃは、羽根３０、３１の締め付け方向において、ガイド部４１ｃと対向する位置に配置されている。各ガイド部４０ａ〜４１ｃは、ワイヤ５５と係合しており、ダイヤルユニット６０を操作して、ダイヤルユニット６０からワイヤ５５を引き出したり、巻き戻したりしたとしても外れないようになっている。なお、ワイヤ５５は各ガイド部４０ａ〜４１ｃに固定されているわけではないので、ダイヤルユニット６０を操作してワイヤ５５を引き出したり、巻き取ったりできる。
【００２９】
ダイヤルユニット６０は、図６に示すように、靴１００の外羽根３１の後方に配置され、羽根３０、３１の締め付け方向において、ガイド部４０ａと対向する位置に配置されている。ダイヤルユニット６０は、ワイヤ５５を引き出したり、戻したりすための一対の開口部６１、６２を有する。開口部６１、６２は、ガイド部４０ａが配置されている側に開口している。
【００３０】
ダイヤルユニット６０の内側には、ワイヤ５５を巻き取ったり、ワイヤ５５を引き出したりする巻き取り機構（不図示）が配置されいる。巻き取り機構としては、特許第５９２５９４９号などに開示されている公知の機構を適宜採用することができる。本実施形態では、ダイヤルユニット６０のダイヤル６３を所定方向に回転させると、巻き取り機構がワイヤ５５を巻き取る。また、ダイヤル６３を回転軸方向に押し込むと、巻き取り機構によるワイヤ５５の巻き取りが解除されて、開口部６１，６２から人の手によりワイヤ５５を引き出すことができる。
【００３１】
ダイヤルユニット６０のワイヤ５５は、断線しにくく、伸び縮みしにくい材質で作られる。ワイヤ５５は、ダイヤルユニット６０の開口部６１から出て、順にガイド部４０ａ、ガイド部４１ｂ、ガイド部４０ｃ、ガイド部４１ｃ、及びガイド部４０ｂを通り、開口部６２に戻るよう構成される。なお、ワイヤ５５を各ガイド部４０ａ〜４１ｃに通す順序はこれに限られない。例えば、ワイヤ５５を順にガイド部４０ａ、ガイド部４０ｂ、ガイド部４０ｃ、ガイド部４１ｃ、ガイド部４１ｂに通す構成であってもよいし、順にガイド部４０ａ、ガイド部４１ｂ、ガイド部４０ｂ、ガイド部４１ｃ、及びガイド部４０ｃを通す構成であってもよい。また、一つのガイド部にワイヤ５５を複数回通すような構成であってもよい。
【００３２】
ダイヤルユニット６０のダイヤル６３を所定方向に回転させると、巻き取り機構がワイヤ５５を巻き取ることにより、ワイヤ５５の一部がダイヤルユニット６０の内部に引き込まれる。これにより、ガイド部４０ａは、ワイヤ５５に引っ張られてダイヤルユニット６０に近づく方向に移動するとともに、ガイド部４０ｂ，４０ｃは、ワイヤ５５に引っ張られてガイド部４１ａ，４１ｂに近づく方向に移動する。結果として、アッパー２０の羽根３０、３１が互いに向かう方向に引っ張られることにより、使用者の足の甲に対して羽根３０、３１を締め付けることができる。
【００３３】
他方、ダイヤル６３を回転軸方向外側に引っ張ってから、ワイヤ５５を引き出すことにより、ダイヤルユニット６０の外部に引き出されているワイヤ５５の長さを長くして、アッパー２０の羽根３０、３１を互いに離れる方向に移動させることができる。結果として、足の甲に対する羽根３０、３１の締め付けを緩めることができる。
【００３４】
ダイヤルユニット６０の開口部６１，６２が、アッパー２０の羽根３０、３１の締め付け方向において、ガイド部４０ａと対向している。このため、ダイヤル６３の操作によってワイヤ５５を巻き取るときの力をガイド部４０ａに作用させやすくなり、羽根３０、３１を使用者の足に締め付けやすくなる。また、ダイヤルユニット６０からワイヤ５５を引き出したときには、ガイド部４０ａをダイヤルユニット６０から離れる方向に移動させやすくなり、使用者の足に対する羽根３０、３１の締め付けを緩めやすくなる。
【００３５】
図８に示すように、靴１００は、その内部に、足の土踏まずの周囲を包み、足を包み込むように保持する包足帯４５を備える。包足帯４５の前後方向における幅は足の土踏まず部分を覆うことができる程度の幅とするとよく、包足帯４５の足周囲方向における長さは、足裏全体を覆い且つ足の甲の少なくとも一部（全部又は一部）を覆うことができる程度の長さとするとよい。
【００３６】
靴１００の内部（アッパー２０の羽根３０、３１の内側）において、包足帯４５を外側から覆うように、１つ又は複数の締付帯４２ｂ、４２ｃが設けられている。なお、本実施形態では締付帯４２を２つとしているが、これに限定されない。また、１本の締付帯４２を用いる場合は、締付帯４２の前後方向の幅を、包足帯４５と同程度にするとよい。
【００３７】
図８に示すように、締付帯４２ｃは、両先端にワイヤ５５が通る前述のガイド部４０ｃ、４１ｃを有し、上方において羽根３０、３１に設けられたガイド部３５、３６を通るように配置されている。羽根３０、３１のガイド部３５、３６により、締付帯４２ｃは落ちてこず、靴１００に足を入れた際にも締付帯４２ｃが足に引っかかったりしにくいようになっている。また、羽根３０、３１のガイド部３５、３６は、締付帯４２ｃを通すが、ガイド部４０ｃ、４１ｃが抜けないように構成されている。さらに、締付帯４２ｃは、上方又は中程において包足帯４５に形成された開口４６を通り、下方において包足帯４５の底に縫い付けられている。なお、締付帯４２ｂも締付帯４２ｃと同様であり、説明は省略する。
【００３８】
靴１００のタン２２及びインソール２４は、締付帯４２ｂ、４２ｃ及び包足帯４５の内側に配置される。靴１００内部の下側において、締付帯４２ｂ、４２ｃ及び包足帯４５をインソール２４の下側に配置することで、靴１００に足を入れたときに、足が締付帯４２ｂ、４２ｃ及び包足帯４５に引っかかりにくいようにすることができるとともに、フィット感や履きごこちも向上させ、締付帯４２ｂ、４２ｃを靴１００内部で安定させることができる。また、靴１００内部の上側において、締付帯４２ｂ、４２ｃ及び包足帯４５をタン２２の上側に配置することで、靴１００に足を入れたときに、足が締付帯４２ｂ、４２ｃ及び包足帯４５に引っかかりにくいようにすることができ、フィット感や履きごこちを向上させる。
【００３９】
靴１００に足を入れ、タン２２とインソール２４との間に足が位置する状態で、ダイヤルユニット６０を操作して、ワイヤ５５をダイヤルユニット６０に巻き戻すと、ガイド部４０ｃとガイド部４１ｃ、及びガイド部４０ｂとガイド部４１ｂはそれぞれ、締め付ける方向（足周囲方向）に互いに近づくように引っ張られ、それにともない締付帯４２ｂ、４２ｃは、包足帯４５を締め付け、包足帯４５が足の土踏まず付近の足周囲（足裏から足の甲の一部にかけて）を覆う（包み込む）ように構成されている。なお、図８（ａ）では、理解しやすくするために、インソール２４が浮いているように描かれているが、足を靴１００に入れると、インソール２４、包足帯４５、及び締付帯４２ｂ、４２ｃは、重みでミッドソール１５上に位置することとなる。
【００４０】
本実施形態に係る靴１００は、ダイヤルユニット６０のワイヤ５５を巻き取ることで、内羽根３０の固定されたガイド部４０ａ及びダイヤルユニット６０が互いに引き寄せられ、締付帯４２ｂのガイド部４０ｂ、４１ｂが互いに引き寄せられ、締付帯４２ｃのガイド部４０ｃ、４１ｃが互いに引き寄せられる。この結果、アッパー２０の両方の羽根３０、３１が互いに引き寄せられ、包足帯４５が、足の土踏まずの足周囲を覆う。このような構成により、足の土踏まず付近の足裏全体から足の甲（の一部又は全部）にかけて包足帯４５で包み込むように覆われるため、従来の靴に比べて、靴１００は、足へのフィット感を向上させることができる。また、ワイヤ５５を巻き取ることで、包足帯４５が足の土踏まずのアーチを上方に持ち上げるように構成されているため、土踏まずのアーチを保ちやすくなる。  
【００４１】
上記実施形態で説明される寸法、材料、形状、構成要素の相対的な位置等は任意であり、本発明が適用される装置の構造又は様々な条件に応じて変更される。また、本発明は、具体的に記載された上記実施形態に限定されるものではない。
【符号の説明】
【００４２】
１、１００  靴
１０  アウトソール
２０  アッパー
２２  タン
２４  インソール
３０  アッパー２０の内羽根
３１  アッパー２０の外羽根
４０（４０ａ、４０ｂ、４０ｃ）  内羽根３０側のガイド部
４１（４１ｂ、４１ｃ）  外羽根３１側のガイド部
４２（４２ｂ、４２ｃ）  締付帯
４５  包足帯
４６  包足帯４５の開口
５０  靴紐
５５  ワイヤ
６０  ダイヤルユニット
６１、６２  開口部
６３  ダイヤル
【図１】
2020130321.tif 000003
【図２】
2020130321.tif 000004
【図３】
2020130321.tif 000005
【図４】
2020130321.tif 000006
【図５】
2020130321.tif 000007
【図６】
2020130321.tif 000008
【図７】
2020130321.tif 000009
【図８】
2020130321.tif 000010
【手続補正書】
【提出日】令和1年7月8日(2019.7.8)
【手続補正１】
【補正対象書類名】明細書
【補正対象項目名】００３０
【補正方法】変更
【補正の内容】
【００３０】
ダイヤルユニット６０の内側には、ワイヤ５５を巻き取ったり、ワイヤ５５を引き出したりする巻き取り機構（不図示）が配置されている。巻き取り機構としては、公知の機構を適宜採用することができる。本実施形態では、ダイヤルユニット６０のダイヤル６３を所定方向に回転させると、巻き取り機構がワイヤ５５を巻き取る。また、ダイヤル６３を回転軸方向に押し込むと、巻き取り機構によるワイヤ５５の巻き取りが解除されて、開口部６１、６２から人の手によりワイヤ５５を引き出すことができる。